(57)【特許請求の範囲】
【請求項１】
取付基板に球入口を設けると共に該球入口に前後方向へ自在に回動して遊技者に不利な閉状態と遊技者に有利な開状態とに変換する開閉扉を装着し、取付基板の裏側にはプランジャが進退動することにより前記開閉扉を前後方向へ回動させるソレノイドを配設してなる入賞装置において、
前記プランジャ先端と開閉扉との間にこれらを連係する連係ロック機構を設けてなり、該連係ロック機構はプランジャの進退動作のみによって開閉扉を回動し得るように構成され、また前面に前記プランジャを取付基板の前側から操作するための操作杆が挿通し得る差込孔を開設し、該差込孔には左右方向にスライドし常に閉じる方向に付勢されかつ前記操作杆により開口し得るシャッター板を装着したことを特徴とするパチンコ機の入賞装置。
【請求項２】
取付基板に球入口を設けると共に該球入口に前後方向へ自在に回動して遊技者に不利な閉状態と遊技者に有利な開状態とに変換する開閉扉を装着し、取付基板の裏側にはプランジャが進退動することにより前記開閉扉を前後方向へ回動させるソレノイドを配設してなる入賞装置において、
前記ソレノイドをプランジャが前後方向へ進退動するように取付基板に対し直角に配置し、プランジャ先端に連結部材を取着すると共に該連結部材と開閉扉との間にこれらを連係する連係ロック機構を設けてなり、該連係ロック機構はプランジャの進退動作のみによって開閉扉を回動し得るように構成され、また前面であって前記連結部材と対向する位置に前記プランジャを連結部材を介して取付基板の前側から操作するための操作杆が挿通し得る差込孔を開設し、該差込孔には左右方向にスライドし常に閉じる方向に付勢されかつ操作杆により開口し得るシャッター板を装着したことを特徴とするパチンコ機の入賞装置。
【発明の詳細な説明】
【０００１】
【発明の属する技術分野】
本発明は、不正な手段で開閉扉が強制的に開かれ、故意に多くの入賞球を得ようとする不正行為を完全に防止することができるようにしたパチンコ機の入賞装置に関するものである。
【０００２】
【従来の技術】
従来、遊技盤面に、複数の図柄や数字が変動する可変表示装置と、打球が入賞することによって前記複数の図柄や数字を変動させる始動入賞口と、その図柄や数字がその停止時に特定の組合せになったとき「大当り」としての権利が発生し一度に多くの入賞球が得られる入賞装置とを備えたパチンコ機が有る。
【０００３】
前記入賞装置は、例えば図１０に示されるように、遊技盤面に当接して取り付けられる取付基板１００に横長の球入口１０１が開設され、該球入口１０１に常には前側へ回動するように重心が置かれ前後方向へ自在に回動する開閉扉１０２が装着されている。一方、前記取付基板１００の裏側一側には進退動するプランジャ１０３を有するソレノイド１０４が配設され、そのプランジャ１０３の先端に後端で軸支１０５され垂直面内で回動する作用杆１０６が支着されている。また、該作用杆１０６の前端は前記開閉扉１０２の裏面一側から後方へ突出する係合片１０７に上方から係合されている。そして、ソレノイド１０４が消磁しているときは、プランジャ１０３がこれに巻回されたスプリング１０８の付勢により前進して、作用杆１０６を下方へ回動すると共にその前端により係合片１０７を押し下げ、開閉扉１０２を後方へ回動して遊技者に不利な閉状態としている。また、ソレノイド１０４が励磁したときは、プランジャ１０３がスプリング１０８の付勢に抗して後退し、これに伴い作用杆１０６が上方へ回動すると共に開閉扉１０２が前方へ回動して遊技者に有利な開状態となるようにしている。
【０００４】
ところで、前記開閉扉１０２はその閉状態をプランジャ１０３に巻回されたスプリング１０８の弾発力のみで保持しており、他に何ら連係ロック機構を備えてないことから、開閉扉１０２を強制的に開けると、これに伴い作用杆１０６を介してプランジャ１０３が逆にスプリング１０８の付勢に抗して後退するような構成となっている。このため、例えば遊技中に遊技者がガラス扉枠の隙間などから細径のピアノ線などを遊技盤面に這わせ、入賞装置の開閉扉を強制的に開かせ故意に多くの入賞球を得ようとする不正行為が行なわれることが有った。
【０００５】
【発明が解決しようとする課題】
本発明者は、上記のような不正行為が未然に防止されるように、プランジャ先端に連結部材を取着すると共に該連結部材と開閉扉との間にこれらを連係しかつプランジャの進退動作のみによって開閉扉を回動し得る連係ロック機構を設け、更に例えばパチンコホールの店員が本来の必要に応じて正当にガラス扉枠を開けて開閉扉を開けようとする場合の便宜のため、取付基板の前面であって連結部材と対向する位置に該連結部材を介して前記プランジャを取付基板の前面から操作するための操作杆が挿通し得る差込孔を開設したパチンコ機の入賞装置を先に発明し特許出願した。
【０００６】
ところが、このようにプランジャを取付基板の前面から操作するための操作杆が挿通し得る差込孔を設けた場合、前記パチンコホールの店員が本来の必要に応じて正当にガラス扉枠を開けて開閉扉を開けようとする場合は都合が良いが、逆にこの差込孔に遊技盤面に這わしたピアノ線を挿通しプランジャを操作して開閉扉を強制的に開かせ故意に多くの入賞球を得ようとする不正行為も許してしまうといった改良すべき課題があった。
そこで、本発明は、上記課題を解決すべくなされたもので前記差込孔に左右方向にスライドして常に閉じる方向に付勢されかつ操作杆により開口し得るシャッター板を装着して差込孔からの不正行為をも未然に防止できるようにしたパチンコ機の入賞装置を提供することを目的とするものである。
【０００７】
【課題を解決するための手段】
かかる目的を達成するため、本発明に係るパチンコ機の入賞装置は、取付基板に球入口を設けると共に該球入口に前後方向へ自在に回動して遊技者に不利な閉状態と遊技者に有利な開状態とに変換する開閉扉を装着し、取付基板の裏側にはプランジャが進退動することにより前記開閉扉を前後方向へ回動させるソレノイドを配設してなる入賞装置において、前記プランジャ先端と開閉扉との間にこれらを連係する連係ロック機構を設けてなり、該連係ロック機構はプランジャの進退動作のみによって開閉扉を回動し得るように構成され、また前面に前記プランジャを取付基板の前側から操作するための操作杆が挿通し得る差込孔を開設し、該差込孔には左右方向にスライドし常に閉じる方向に付勢されかつ前記操作杆により開口し得るシャッター板を装着した構成よりなる。
【０００８】
これにより、遊技中に遊技者がガラス扉枠の隙間などからピアノ線などを遊技盤面に這わせ、前面の差込孔から挿入して入賞装置の開閉扉を強制的に開けようとしても、差込孔はシャッター板で閉塞されているので、該差込孔からプランジャを作動させることはできず、これにより開閉扉が無用に開かれることがなく、不正行為が防止される。また、パチンコホールの店員が本来の必要に応じて正当にガラス扉枠を開けて開閉扉を開けようとするときは、操作杆でシャッター板を開放すると共に差込孔内に操作杆を挿通してソレノイドを作動し、連係ロック機構を解除させて開閉扉を前方向へ回動し球入口を開かすことができ、これにより入賞装置の点検など店員による正当な行為が行なえる。
【０００９】
具体的には、例えば、取付基板に球入口を設けると共に該球入口に前後方向へ自在に回動して遊技者に不利な閉状態と遊技者に有利な開状態とに変換する開閉扉を装着し、取付基板の裏側にはプランジャが進退動することにより前記開閉扉を前後方向へ回動させるソレノイドを配設してなる入賞装置において、前記ソレノイドをプランジャが前後方向へ進退動するように取付基板に対し直角に配置し、プランジャ先端に連結部材を取着すると共に該連結部材と開閉扉との間にこれらを連係する連係ロック機構を設けてなり、該連係ロック機構はプランジャの進退動作のみによって開閉扉を回動し得るように構成され、また前面であって連結部材と対向する位置に前記プランジャを連結部材を介して取付基板の前側から操作するための操作杆が挿通し得る差込孔を開設し、該差込孔には左右方向にスライドし常に閉じる方向に付勢されかつ操作杆により開口し得るシャッター板を装着した構成が採られる。
【００１０】
【発明の実施の形態】
以下に本発明に係るパチンコ機の入賞装置の実施の形態を図面と共に説明する。図１は本発明が適用されるパチンコ機の正面図、図２は入賞装置の斜視図、図３はその分解斜視図である。このパチンコ機は、特別遊技状態になったとき一度に多くの入賞球を発生させる所謂フィーバータイプのものである。図１において１はパチンコ機の前面枠、２は遊技盤、３は遊技盤２の前面を覆うガラス扉枠、４は前面枠１の前面下部に設けられた打球操作ハンドルである。遊技盤２のガイドレール５で囲われる遊技部２ａには中央に３個の図柄・数字などが変動表示される表示部６ａを有する可変表示装置６が装着され、その下方に打球が入賞することにより表示部６ａの各図柄・数字を変動させるための始動入賞口７が装着されている。更に、その下方に前記図柄・数字などが停止して、その組合せが特定の組合せ（例えば「７，７，７」）に揃ったとき、特別遊技状態となり、一定の条件のもとに一度に多くの入賞球を発生させることができる大型の入賞装置８が装着されている。
【００１１】
前記入賞装置８は、図２，図３に示すように遊技盤２の前面に取り付けられる取付基板９を有し、該取付基板９の中央部分に横長の球入口１０が形成される。また、取付基板９の前面に球入口１０の両側に位置して一般入賞口１１，１１が設けられ、取付基板９の裏面には前記球入口１０の両側を囲うようにして後面が開口した枠体１２が一体に形成される。１３は枠体１２内に嵌入して取付基板９の裏側に複数のねじによって取り付けられ前後端面が開口する中箱枠であり、該中箱枠１３の前面に前記球入口１０を開閉する開閉扉１４が配設されている。
【００１２】
前記開閉扉１４の両側縁にはそれぞれ後側へ直交状に屈曲する角度規制片１５，１５が設けられ、該各角度規制片１５の外側前部に軸操作杆１６が突設され、さらに一方（図３において右側）の角度規制片１５には外側下部に係合突起１７が突設される。１８，１８は中箱枠１３の前面両側にねじによって取り付けられる軸支板であり、それぞれ内側縁に設けた軸孔１９，１９に前記軸操作杆１６，１６を挿通させることにより開閉扉１４が前後方向へ自在に回動できるようになっている。また、中箱枠１３の底部には球受板２０が配置され、該球受板２０は開閉扉１４が前方へ回動したときほぼ同一面となるようにして後方へ下傾されている。
【００１３】
２１は前記中箱枠１３の後面に接合される後箱枠であり、中央に球受板２０を転動する打球が入り込む取入口２４が開設されている。そして、その中に一般入賞口２５ａとＶ入賞口２５ｂとが右・左に配設される。また、両入賞口２５ａ，２５ｂの中間位置で後箱枠２１の前面に軸孔２６を介して後記する取付枠２８から前方へ突出する水平軸３０が設けられ、該水平軸３０に中箱枠１３からの打球を一般入賞口２５ａまたはＶ入賞口２５ｂに振り分け入賞させる振分レバー２７が設けられている。
【００１４】
２８は前記後箱枠２１の後面に接合される取付枠であり、下部の左右側に前側の当接板２８ａの前面から一部突出して前記一般入賞口２５ａとＶ入賞口２５ｂとに介装され入賞球をカウントする球検出器２９，２９が配設され、その中間位置に当接板２８ａから前方へ突出しかつその先端に前記振分レバー２７が回転自在に軸支される水平軸３０が設けられている。前記当接板２８ａの裏側には振分レバー２７を作動させるための第１ソレノイド３１と開閉扉１４を作動させるための第２ソレノイド３２が配設される。なお、図示は省略するが前記中箱枠１３、後箱枠２１及び取付枠２８はいずれもビス締めにより接合されている。
【００１５】
第１ソレノイド３１は横向きすなわち左右方向に配設され、そのプランジャ３３の先端に連動部材３４ａが取着されると共に水平軸３０の後端に連動部材３４ｂが取着され、これら連動部材３４ａ，３４ｂが互いに係合することによりプランジャ３３の進退動作に伴い水平軸３０が正・逆回動するようになっている。そこで、第１ソレノイド３１が消磁しているときは、プランジャ３３に巻回されたスプリング３５により該プランジャ３３が一側へ付勢されて前進しており、これによって振分レバー２７が一側へ回転して一般入賞口２５ａを開けＶ入賞口２５ｂを閉じる位置で停止保持されている。
【００１６】
一方、この状態で第１ソレノイド３１が励磁されるとプランジャ３３がスプリング３５の付勢に抗して後退し、これによって水平軸３０が前記とは逆方向へ回動され振分レバー２７が一般入賞口２５ａを閉じＶ入賞口２５ｂを開ける位置で停止保持される。例えば、遊技中に大当りといった特別遊技状態になると開閉扉１４が開くが、このとき第１ソレノイド３１が励磁して一般入賞口２５ａを閉じＶ入賞口２５ｂを開ける。これにより、球入口１０を介して中箱枠１３内に入った打球は球受板２０上面を転動してＶ入賞口２５ｂに入賞する。この際、１個の打球がＶ入賞口２５ｂへ入賞すると、直ちに第１ソレノイド３１が消磁して振分レバー２７を再び逆方向へ回動して元の一般入賞口２５ａを開けＶ入賞口２５ｂを閉じる位置に戻す。そして、残りの打球をすべて一般入賞口２５ａに入賞させ、一般入賞口２５ａに所定数の打球が入賞したとき、または所定時間経過後に開閉扉１４が後方へ回動して球入口１０を閉じる。以後一定条件のもと同じ動作が所定回数繰り返され一度に多くの入賞球が発生するようにしている。このように、Ｖ入賞口２５ｂには１個の打球のみしか入賞させないのは、入賞確率を概ね３分の１以下に押えるという規定が有るからである。
【００１７】
前記第２ソレノイド３２は取付枠２８の裏側を囲う金属製の囲枠３６の一側内側であって、しかも縦向きすなわち取付基板９に対して直角に配設される。そして、前後方向へ進退動するプランジャ３７の先端に連結部材３８が取着される。該連結部材３８は側面Ｌ型に形成され、水平板部３８ａの下面に垂直板部３８ｂが設けられると共に該垂直板部３８ｂに下端で開放する縦溝３９が設けられている。連結部材３８は後箱枠２１の一側に形成された開口溝４０を介して中箱枠１３の一側に形成され前後両端が開放した側枠部４１内に臨むようになっている。
【００１８】
４２は前記連結部材３８と開閉扉１４との間にこれらを連係しかつプランジャ３７の進退動作のみによって開閉扉１４を回動させる連係ロック機構であり、該連係ロック機構４２は、係合突起１７に係合して開閉扉１４を回動させる扉クランク片４３と開閉扉１４の無用な開動作を阻止する扉ロック片４４からなる。一方、前記後箱枠２１前面の開口溝４０両側に設けられた軸受部４５，４５間に支持杆４６が水平に横架され、前記各扉クランク片４３と扉ロック片４４とはそれぞれ扉ロック片４４が内側に位置するようにして同軸状に軸支される。
【００１９】
前記扉クランク片４３は、側面逆Ｌ字型に成形され後端部に支持杆４６を挿通する軸孔４７が設けられ、内側面に該軸孔４７と連通する軸筒４７ａが設けられている。そして、上方に伸びる上向片４３ａの先端内側面に前記連結部材３８の縦溝３９に係合する第１突起４８が突設されると共に前方に伸びる前向片４３ｂの先端には開閉扉１４の係合突起１７に係合する二股係合部４９が設けられている。一方、扉ロック片４４は側面略三角形状に成形され、その後端部に前記軸筒４７ａが嵌入する軸孔５０が突設される。また、上端部内側に前記第１突起４８より下側に位置して縦溝３９に係合する第２突起５１が突設され、前端部下面に後方へ回動して球入口１０を閉じた状態の開閉扉１４の係合突起１７に上から係合し得る切欠凹部５２が設けられている。該切欠凹部５２と前記二股係合部４９とは支持杆４６からほぼ同位置にある。これにより、図４に示されるようにプランジャ３７先端の連結部材３８と開閉扉１４とが連係ロック機構４２により連係される。前記取付枠２８の当接板２８ａにはその裏面に複数の支持杆５３が突設され、これら支持杆５３に配線基板５４が取着されている。
【００２０】
しかして、本発明は図７，図９（ａ）に示すように取付基板９の前面であって前記連結部材３８の水平板部３８ａ先端面と対向位置させて、差込孔５６が開設されている。該差込孔５６は後記するようにパチンコホールの店員が本来の必要に応じて正当にガラス扉枠３を開けて開閉扉１４を前方向へ回動して球入口１０を開けようとする場合、操作杆６２を挿通して連結部材３８を押し、プランジャ３７を強制的に後退させて開閉扉１４を回動させるためのものである。そして、前記差込孔５６には平面Ｌ型に形成されるシャッター板５７が装着される。一方、差込孔５６の近傍であって取付基板９の裏面には、前記側枠部４１の上部に設けられた枠部４１ａ内にガイド枠５８が配設され、前記シャッター板５７の縦片５７ａが枠部４１ａ内に収納されると共に横片５７ｂが枠部４１ａの差込孔５６側に開設された縦溝５９を介して突出し、しかも左右方向にスライドすることにより前記差込孔５６を開閉できるようになっている。更に、前記枠部４１ａ内には前記縦片５７ａとガイド枠５８との間に圧縮スプリング６０が介装され、シャッター板５７を常に差込孔５６を閉じる方向に付勢している。また、前記横片５７ｂの前面にはシャッター板５７を開けるとき操作杆６２の先端が引っかかり、その開動作がし易いようにするための引掛部６１が設けられている。
【００２１】
そこで、まず、遊技中にあっては、特別遊技状態でないとき、図５（ａ）に示すように第２ソレノイド３２が消磁し、プランジャ３７がそのスプリング５５の付勢により前方へ前進しており、扉クランク片４３と扉ロック片４４とはいずれも同図反時計方向へ回動しており、二股係合部４９により係合突起１７を押し下げ開閉扉１４を後方へ回動して球入口１０を閉じている。また、このとき扉ロック片４４の切欠凹部５２は係合突起１７に上から係合している。
【００２２】
この状態で、特別遊技状態になると、図５（ｂ）に示すように第２ソレノイド３２が励磁し、プランジャ３７がそのスプリング５５の付勢に抗して後退し始め、扉クランク片４３と扉ロック片４４とが同図時計方向に回動する。ただ第１突起４８より第２突起５１が下方にある関係上、扉ロック片４４の方が扉クランク片４３より速く回動し、これにより二股係合部４９で係合突起１７を押し上げるより前に切欠凹部５２との係合が先に外れる。
【００２３】
そして、プランジャ３７が後退し、図５（ｃ）に示されるように扉クランク４３の二股係合部４９により係合突起１７が押し上げられ、開閉扉１４が反時計方向すなわち前方向へ回動して球入口１０を開き、一度に多くの打球を受け入れられるようになる。また、第２ソレノイド３２が消磁するとスプリング５５の付勢により図５（ａ）に示されるようにプランジャ３７が前進し扉クランク片４３と扉ロック片４４とが反時計方向に回動して開閉扉１４を図５（ａ）の元の閉状態に戻す。
【００２４】
そこで、遊技中に遊技者が遊技盤２面にピアノ線などを這わせ、開閉扉１４を故意に開け不正行為を行うとする場合、図６に示すように軸操作杆１６の中心０１と支持杆４６の中心０２は同一高さ位置にあり、軸操作杆１６の中心０１と係合突起１７の中心０３間の距離０１，０３と係合突起１７の中心０３と支持杆４６の中心０２間の距離０３，０２との和は三角形の定理から軸操作杆１６の中心０１と支持杆４６の中心０２間の距離０１，０２より長いので、開閉扉１４を図６矢視方向へ強制的に回動して球入口１０を開けようとしても係合突起１７が切欠凹部５２に係合したままロックされることとなり、開閉扉１４の回動が不可能となる。これにより、開閉扉１４を開けて行なう不正行為が防止される。
【００２５】
本実施の形態にあっては、第２ソレノイド３２を取付基板９に対して前後方向で直角となるように配設しているが、上下方向で平行に配設するようにしても良く、また連係ロック機構４２は扉クランク片４３や扉ロック片４４の組合せ以外に連係ロック機構を備えたものであれば、他の構成であっても良いこと勿論である。
【００２６】
次に、メーカーからの出荷時の点検時、またはパチンコホールでの遊技中に生ずる故障時などに、点検のため遊技盤２の前側から開閉扉１４を開ける必要が有るが、この場合は作業者または店員がガラス扉枠３を開け、図８，図９（ｂ）に示すように操作杆６２の先端を引掛部６１に引掛けてシャッター板５７を圧縮スプリング６０の付勢に抗して開けて連結部材３８の水平板部３８ａ先端面を押す。これにより、プランジャ３７がスプリング５５の付勢に抗して後退し、連係ロック機構４２が図５（ｃ）と同じ動作を行い開閉扉１４を開放させる。また、操作杆６２を引き抜くとプランジャ３７がスプリング５５の付勢により前進し、開閉扉１４を回動させて球入口１０を閉じる。このようにしてその中の点検が行なえることとなる。
【００２７】
一方、遊技中に遊技者が遊技盤２面にピアノ線などを這わせ、前記差込孔５６にピアノ線の先端を挿通しようとしても、シャッター板５７により邪魔され挿通が不可能となる。よって、これにより開閉扉１４を故意に開けることができず不正行為が防止される。
【００２８】
更に、図示は省略するが、本実施の形態のように取付基板９の球入口１０両側に一般入賞口１１，１１が装着されているときは、その前面に取付基板９の差込孔５６と一直線状に連通する差込孔を開設するようにしても良く、このようにすれば、通常、前記一般入賞口１１の前面とガラス扉枠３のガラス板との隙間が非常に狭いことから、その差込孔５６にピアノ線を挿入することはほとんど不可能となり、不正防止を図る上においてより効果的となる。
【００２９】
【発明の効果】
以上、述べたように本発明に係るパチンコ機の入賞装置は、前記プランジャ先端と開閉扉との間にこれらを連係する連係ロック機構を設け、該連係ロック機構をプランジャの進退動作のみによって開閉扉を回動し得るように構成し、また前面に前記プランジャを取付基板の前側から押動するための操作杆が挿通し得る差込孔を開設し、該差込孔には左右方向にスライドして常に閉じる方向に付勢されかつ操作杆により開口し得るシャッター板を装着した構成よりなるので、メーカーやパチンコホールで点検または故障のため開閉扉を開けるときは遊技盤面側からシャッター板を開け操作杆を挿通することにより開閉扉を容易に開くことができ、故障や点検のための作業が迅速かつ簡単に行なえ、一方、常態では差込孔がシャッター板により閉塞されているので、ピアノ線の先端を挿入して開閉扉を強制的に開かせ故意に多くの入賞球を得ようとする不正行為も防止されるという効果がある。
【図面の簡単な説明】
【図１】本発明が適用されるパチンコ機の正面図。
【図２】本発明に係る入賞装置の斜視図。
【図３】図２の分解斜視図。
【図４】連係ロック機構の連係状態を示す斜視図。
【図５】（ａ）〜（ｃ）は連係ロック機構の作用を説明するための側面図。
【図６】連係ロック機構の原理を示す説明図。
【図７】シャッター板の取付位置を示す入賞装置の斜視図。
【図８】同作用を示す斜視図。
【図９】（ａ）は要部の平面断面図。
（ｂ）は要部の作用を示す平面断面図。
【図１０】従来の入賞装置の斜視図。
【符号の説明】
８                      入賞装置
９                      取付基板
１０                    球入口
１４                    開閉扉
３２                    ソレノイド（第２ソレノイド）
３７                    プランジャ
３８                    連結部材
４２                    連係連係ロック機構
５６                    差込孔
５７                    シャッター板
６２                    操作杆
【図１】
0003650004.tif 000002
【図２】
0003650004.tif 000003
【図３】
0003650004.tif 000004
【図４】
0003650004.tif 000005
【図５】
0003650004.tif 000006
【図６】
0003650004.tif 000007
【図７】
0003650004.tif 000008
【図８】
0003650004.tif 000009
【図９】
0003650004.tif 000010
【図１０】
0003650004.tif 000011